(57)【特許請求の範囲】
【請求項１】
通常時にあってネットワークシステムのシステム管理やＡＴＭセルをスイッチングする現用系ＡＴＭスイッチと、
この現用系ＡＴＭスイッチの異常時にあって上記現用系ＡＴＭスイッチの代行を行う待機系ＡＴＭスイッチと、
上記現用系ＡＴＭスイッチまたは上記待機系ＡＴＭスイッチを介して上記ＡＴＭセルの送受信を行う端末装置と、
光ファイバ等により構成され、上記現用系ＡＴＭスイッチと上記端末装置とを接続する現用系リンクと、
この現用系リンクのバックアップのために設けられ、上記待機系ＡＴＭスイッチと上記端末装置とを接続する待機系リンクとを備えた二重化ＡＴＭスイッチシステムにおいて、
上記端末装置は、上記現用系リンクからのみ上記ＡＴＭセルの受信を行う現用系光送受信器と、
上記待機系リンクからのみ上記ＡＴＭセルの受信を行う待機系光送受信器と、
上記現用系光送受信器を介して受信した上記ＡＴＭセルは通過させ、上記待機系光送受信器を介して受信した上記ＡＴＭセルは折り返すセレクタ部と、
現用系リンクの障害またはＡＴＭスイッチの故障を検知した場合に、上記セレクタ部に対して系切替信号を出力し、上記待機系光送受信器を介して上記ＡＴＭセルを受信させるＡＴＭプロトコル処理部とを備えたことを特徴とする二重化ＡＴＭスイッチシステム。
【請求項２】
待機系ＡＴＭスイッチは、待機系リンクの光リンクが正常に動作しているか否かを検知し、この検知した結果をＳＤＨフレームに記録し端末装置に送信するＴＣ部を備え、
上記端末装置は、上記待機系ＡＴＭスイッチから送信された上記ＳＤＨフレームをチェックし上記待機系ＡＴＭスイッチの健全性を確認することを特徴とする請求項１記載の二重化ＡＴＭスイッチシステム。
【請求項３】
ＡＴＭスイッチは、ＳＤＨフレームのユーザチャネルに待機系の識別子を設定し端末装置に送信したときに、上記端末装置から待機系リンクに接続されていることを示す上記待機系の識別子が上記ユーザチャネルに設定されている場合に、上記待機系リンクから受信したＡＴＭセルをすべて無効として廃棄することを特徴とする請求項２記載の二重化ＡＴＭスイッチシステム。
【請求項４】
現用系ＡＴＭスイッチおよび待機系ＡＴＭスイッチは、ＳＡＲ部においてＡＴＭセルのデータ部に待機系の識別子を設定しこのＡＴＭセルを端末装置に送信したときに、上記端末装置から待機系リンクに接続されていることを示す上記待機系の識別子が上記ユーザチャネルに設定されている場合に、上記待機系リンクから受信したＡＴＭセルをすべて無効として廃棄することを特徴とする請求項２記載の二重化ＡＴＭスイッチシステム。
【請求項５】
現用系ＡＴＭスイッチおよび待機系ＡＴＭスイッチは、送信パケットメモリにおいて待機系の識別子を含んだデータを設定し、ＳＡＲ部で上記送信パケットメモリのデータを読み込み、このデータをＡＴＭセルに分解して端末装置に送信し、現用系の識別子を含んだデータに分解されたＡＴＭセルが上記端末装置から返信された場合に、上記ＳＡＲ部で受信したＡＴＭセルを受信パケットメモリに展開することを特徴とする請求項４記載の二重化ＡＴＭスイッチシステム。
【請求項６】
現用系ＡＴＭスイッチおよび待機系ＡＴＭスイッチは、ネットワークシステム構築時にＶＰＩ／ＶＣＩ値と出力ポート先の対応を示すマルチキャスト登録テーブルを設定し、このマルチキャスト登録テーブルに対応する上記出力ポート先にいずれの端末装置を接続するかを設定するか、または、接続されている上記端末装置の上記出力ポート先に対応するように上記マルチキャスト登録テーブルを書き替えることを特徴とする請求項１記載の二重化ＡＴＭスイッチシステム。
【請求項７】
端末装置は、電源投入時またはシステムリセット時には、系切替制御部のタイマを起動し、規定時間を過ぎてもＡＴＭプロトコル処理部が現用系リンクの異常を検出していると、系切替信号により現用系リンクから待機系リンクへ切替を行い、待機系リンク側を現用系リンクに、現用系リンク側を待機系リンクとするように系切替制御部に設定することを特徴とする請求項１記載の二重化ＡＴＭスイッチシステム。
【請求項８】
通常時に使用する現用系リンクのバックアップのために設けられ、待機系ＡＴＭスイッチと端末装置とを接続する待機系リンクとを備え、現用系ＡＴＭスイッチまたは上記待機系ＡＴＭスイッチと上記端末装置との間でＡＴＭセルの送受信を行う二重化ＡＴＭスイッチシステムにおけるＡＴＭセルの送受信方法において、
端末装置は、現用系ＡＴＭスイッチまたは待機系ＡＴＭスイッチを経由して上記ＡＴＭセルを受信すると、受信した上記ＡＴＭセルが現用系リンクを経由してきたものであるか否かを判断する判断ステップと、
この判断ステップの結果、上記待機系リンクを経由してきたものである場合には、光送受信器により受信したシリアルデータをセレクタ部で折り返し上記ＡＴＭセルの受信は行わない受信ステップとを有することを特徴とする二重化ＡＴＭスイッチシステムにおけるＡＴＭセルの送受信方法。
【発明の詳細な説明】
【０００１】
【発明の属する技術分野】
この発明は、ＣＰＵからは現用系リンクおよび待機系リンクの切替制御を意識することなく通信することができる二重化ＡＴＭスイッチシステムおよび二重化ＡＴＭスイッチシステムにおけるＡＴＭセルの送受信方法に関するものである。
【０００２】
【従来の技術】
図１２は、例えばＳｙｎＯｐｔｉｃｓ製ＬａｔｔｉｓＣｅｌｌ  Ａｓｙｎｃｈｒｏｎｏｕｓ  Ｔｒａｎｓｆｅｒ  Ｍｏｄｅ  Ｓｗｉｔｃｈのカタログに示された従来の二重化ＡＴＭスイッチシステムを示す構成図であり、図において、１ａ，１ｂはＡＴＭスイッチ、２〜４は計算機またはコントローラ等の端末装置、５はこのＡＴＭスイッチ１ａ，１ｂと端末装置２〜４間のＡＴＭインタフェースを実現するＡＴＭインタフェースカード、６は現用系ＡＴＭインタフェース５ａと待機系ＡＴＭインタフェース５ｂを有する端末装置である。７は複数のＡＴＭスイッチにより構成されたネットワークである。８ａは光ファイバ等により構成される現用系リンク、８ｂは現用系リンク８ａのバックアップのために使用する待機系リンクである。
【０００３】
次に動作について説明する。
端末装置２から端末装置６へのデータを送信した場合の例について説明する。まず、相手の端末装置２は、現用系リンク８ａを通るようにコネクションを設定してデータを送信する。そして送信されたデータは、ＡＴＭスイッチ１ａを経由して現用系リンク８ａの現用系ＡＴＭインタフェースカード５ａに受信される。次に、端末装置６は現用系リンク８ａから受信データを取り込み、それに応じた応答データをＡＴＭスイッチ１ａに送信する。この応答データはＡＴＭスイッチ１ａを経由して端末装置２に受信される。端末装置２は、端末装置６からの応答データがない場合、現用系リンク８ａが異常と認識し、待機系リンク８ｂを通るようにコネクションを設定して再度データを送信する。また、端末装置６では、現用系リンク８ａが異常を検出すると現用系ＡＴＭインタフェースカード５ａから待機系ＡＴＭインタフェースカード５ｂに切替を行い、待機系リンク８ｂからデータの送受信を行う。
【０００４】
【発明が解決しようとする課題】
従来の二重化ＡＴＭスイッチシステムおよび二重化ＡＴＭスイッチシステムにおけるＡＴＭセルの送受信方法は以上のように構成されているので、ＡＴＭインタフェースカード５ａ，５ｂが現用系リンク８ａ／待機系リンク８ｂにそれぞれ１種類ずつ必要であり、製品コストが増大するなどの課題があった。
また、リンク二重化されたＡＴＭインタフェースカード５ａ，５ｂに対して送信を行う場合、送信する端末装置６は現用系リンク８ａと待機系リンク８ｂのコネクションを設定する必要があり、現用系リンク８ａが異常になった時、アプリケーション等により待機系リンク８ｂに切り替えて再度送信するため、切替時間が必要になるなどの課題があった。
【０００５】
この発明は上記のような課題を解決するためになされたもので、故障やトラブルが起きやすい光送受信器や光ファイバのみを二重化して現用系リンクおよび待機系リンクを構成し、ＡＴＭインタフェースカードがその切替制御を行うことにより、ＣＰＵからは現用系リンクおよび待機系リンクの切替制御を意識することなく通信することができる二重化ＡＴＭスイッチシステムおよび二重化ＡＴＭスイッチシステムにおけるＡＴＭセルの送受信方法を得ることを目的とする。
【０００６】
また、この発明は、待機系ＡＴＭインタフェースカードを使用しなくても二重化できるとともに、現用系リンクおよび待機系リンクの健全性を監視することができる二重化ＡＴＭスイッチシステムおよび二重化ＡＴＭスイッチシステムにおけるＡＴＭセルの送受信方法を得ることを目的とする。
【０００７】
さらに、この発明は、二重化されたＡＴＭインタフェースカードにアクセスする場合、相手端末から系切替を意識する必要がなく、ＡＴＭスイッチのコネクション設定により切替を行うことができ、これによって通信復旧を高速にすることができる二重化ＡＴＭスイッチシステムおよび二重化ＡＴＭスイッチシステムにおけるＡＴＭセルの送受信方法を得ることを目的とする。
【０００８】
【課題を解決するための手段】
この発明に係る二重化ＡＴＭスイッチシステムの端末装置は、現用系リンクからのみＡＴＭセルの受信を現用系光送受信器により行い、待機系リンクからのみＡＴＭセルの受信を待機系光送受信器により行い、現用系光送受信器を介して受信したＡＴＭセルは通過させ、待機系光送受信器を介して受信したＡＴＭセルをセレクタ部により折り返し、ＡＴＭプロトコル処理部が現用系リンクの障害またはＡＴＭスイッチの故障を検知した場合に、セレクタ部に対して系切替信号を出力し、待機系光送受信器を介してＡＴＭセルを受信させるようにしたものである。
【０００９】
この発明に係る二重化ＡＴＭスイッチシステムは、待機系ＡＴＭスイッチにおいて、待機系リンクの光リンクが正常に動作しているか否かを検知し、この検知した結果をＳＤＨフレームに記録し端末装置に送信するＴＣ部を備え、端末装置において、待機系ＡＴＭスイッチから送信されたＳＤＨフレームをチェックし待機系ＡＴＭスイッチの健全性を確認するようにしたものである。
【００１０】
この発明に係る二重化ＡＴＭスイッチシステムは、ＡＴＭスイッチにおいて、ＳＤＨフレームのユーザチャネルに待機系の識別子を設定し端末装置に送信したときに、端末装置から待機系リンクに接続されていることを示す待機系の識別子がユーザチャネルに設定されている場合に、待機系リンクから受信したＡＴＭセルをすべて無効として廃棄するようにしたものである。
【００１１】
この発明に係る二重化ＡＴＭスイッチシステムは、現用系ＡＴＭスイッチおよび待機系ＡＴＭスイッチのＳＡＲ部において、ＡＴＭセルのデータ部に待機系の識別子を設定しこのＡＴＭセルを端末装置に送信したときに、端末装置から待機系リンクに接続されていることを示す待機系の識別子がユーザチャネルに設定されている場合に、待機系リンクから受信したＡＴＭセルをすべて無効として廃棄するようにしたものである。
【００１２】
この発明に係る二重化ＡＴＭスイッチシステムは、現用系ＡＴＭスイッチおよび待機系ＡＴＭスイッチにおいて、送信パケットメモリにおいて待機系の識別子を含んだデータを設定し、ＳＡＲ部で送信パケットメモリのデータを読み込み、このデータをＡＴＭセルに分解して端末装置に送信し、現用系の識別子を含んだデータに分解されたＡＴＭセルが端末装置から返信された場合に、ＳＡＲ部で受信したＡＴＭセルを受信パケットメモリに展開するようにしたものである。
【００１３】
この発明に係る二重化ＡＴＭスイッチシステムは、現用系ＡＴＭスイッチおよび待機系ＡＴＭスイッチにおいて、ＶＰＩ／ＶＣＩ値と出力ポート先の対応を示したものでネットワークシステム構築時にＡＴＭスイッチに設定されるマルチキャスト登録テーブルに、対応するポート先に端末装置を接続するか、または、接続されている端末装置のポート先に対応するようにマルチキャスト登録テーブルを書き替えるようにしたものである。
【００１４】
この発明に係る二重化ＡＴＭスイッチシステムは、端末装置において、電源投入時またはシステムリセット時には、系切替制御部のタイマを起動し、規定時間を過ぎてもＡＴＭプロトコル処理部が現用系リンクの異常を検出していると、系切替信号により現用系リンクから待機系リンクへ切替を行い、待機系リンク側を現用系リンクに、現用系リンク側を待機系リンクとするように系切替制御部に設定するようにしたものである。
【００１５】
この発明に係る二重化ＡＴＭスイッチシステムにおけるＡＴＭセルの送受信方法は、端末装置において、現用系ＡＴＭスイッチまたは待機系ＡＴＭスイッチを経由してＡＴＭセルを受信すると、受信したＡＴＭセルが現用系リンクを経由してきたものであるか否かを判断し、この判断ステップの結果、待機系リンクを経由してきたものである場合には、光送受信器により受信したシリアルデータをセレクタ部で折り返しＡＴＭセルの受信は行わないようにしたものである。
【００１６】
【発明の実施の形態】
以下、この発明の実施の一形態を説明する。
実施の形態１．
図１はこの発明の実施の形態１による二重化ＡＴＭスイッチシステムを示す構成図であり、図において、１ａはＡＴＭスイッチ（現用系ＡＴＭスイッチ）、１ｂはＡＴＭスイッチ（待機系ＡＴＭスイッチ）、２は計算機またはコントローラ等の端末装置、５はこのＡＴＭスイッチ１ａ，１ｂと端末装置２間のＡＴＭインタフェースを実現するＡＴＭインタフェースカード、５ｃは光送受信器のみを二重化したＡＴＭインタフェースカードであり、現用系リンク８ａの障害またはＡＴＭスイッチ１ａの故障が発生した場合にＡＴＭプロトコル処理部１３が異常を検出し、系切替信号１４により現用系リンク８ａから待機系リンク８ｂへの切替を行う。６は光送受信器のみを二重化したＡＴＭインタフェースカード５ｃを有する端末装置である。７は複数のＡＴＭスイッチ１ａ，１ｂにより構成されたネットワークである。８ａは光ファイバ等により構成される現用系リンク、８ｂは現用系リンク８ａのバックアップのために使用する待機系リンクである。
【００１７】
１１ａは現用系リンク８ａからのみ（現用系が正常な場合）ＡＴＭセルの受信を行う現用系光送受信器、１１ｂは待機系リンク８ｂからのみＡＴＭセルの受信を行う待機系光送受信器、１２は現用系光送受信器１１ａを介して受信したＡＴＭセルは通過させ、一方、待機系光送受信器１１ｂを介して受信したＡＴＭセルは単純に折り返しＡＴＭセルの受信は行わないセレクタ部、１３は現用系リンク８ａの障害またはＡＴＭスイッチ１ａの故障が発生した場合に異常を検出するＡＴＭプロトコル処理部、１４は現用系／待機系の系切替信号である。なお、＃１、＃２、＃３はそれぞれＡＴＭスイッチ１ａ，１ｂの入出力ポートである。
【００１８】
次に動作について説明する。
図２はこの発明の実施の形態１による二重化ＡＴＭスイッチシステムの動作手順を示すフローチャートである。
相手端末装置２が送信先を示す宛先ラベル（ＡＴＭセルヘッダ）が付加されたＡＴＭセルを送信すると（ステップＳＴ１）、端末装置６のＡＴＭインタフェースカード５ｃは、ＡＴＭスイッチ１ａ，１ｂを経由してこのＡＴＭセルを受信する（ステップＳＴ２）。次に、ＡＴＭインタフェースカード５ｃでは受信したＡＴＭセルが現用系リンク８ａを経由してきたものであるか否かを判断し（ステップＳＴ３）、待機系リンク８ｂを経由してきたものである場合には、待機系光送受信器１１ｂにより受信したシリアルデータをセレクタ部１２で単純に折り返すのみでＡＴＭセルの受信は行わず（ステップＳＴ４）、受信処理を終了する。
【００１９】
一方、受信したＡＴＭセルが現用系リンク８ａを経由してきたものである場合には、ＡＴＭプロトコル処理部１３は現用系リンク８ａの障害またはＡＴＭスイッチ１ａの故障が発生したか否かを判断する（ステップＳＴ５）。そして、現用系リンク８ａの障害またはＡＴＭスイッチ１ａに故障が発生していない場合には、ＡＴＭプロトコル処理部１３はセレクタ部１２を介してＡＴＭセルの受信を行う（ステップＳＴ６）。ステップＳＴ５の判断の結果、現用系リンク８ａの障害またはＡＴＭスイッチ１ａの故障が発生している場合には、ＡＴＭプロトコル処理部１３は系切替信号１４により現用系リンク８ａから待機系リンク８ｂへの切替を行い（ステップＳＴ７）、受信処理を終了する。
【００２０】
以上のように、この実施の形態１によれば、ＡＴＭインタフェースを終端するＡＴＭインタフェースカード５ｃの各光送受信器１１ａ，１１ｂと光ケーブルのみを二重化して現用系リンク８ａとこの現用系リンク８ａのバックアップのために使用される待機系リンク８ｂを設けたことにより、物理リンクのみを二重化してＡＴＭスイッチ１ａ，１ｂに接続するように構成したので、ＡＴＭインタフェースカード５ｃの二重化が不要になり、装置が安価にできるなどの効果が得られる。
【００２１】
実施の形態２．
図３はこの発明の実施の形態２による二重化ＡＴＭスイッチシステムにおいてＳＤＨフレームにより待機系リンクの健全性を確認するための構成を示す構成図、図４はこの発明の実施の形態２による二重化ＡＴＭスイッチシステムのネットワーク上に伝送されるフレームの構成を示す構成図であり、図において、実施の形態１と同一の符号については同一または相当部分を示すので説明を省略する。２１はＳＤＨフレーム、２２はＳＤＨフレーム２１の管理情報を設定するためのオーバーヘッド、２３は送信される情報を格納するペイロードである。２４はオーバーヘッド２２内のＢＩＰ−８（Ｂｉｔ  Ｉｎｔｅｒｌｅａｖｅｄ  Ｐａｒｉｔｙ  ８）と呼ばれる監視方式を採用した符号誤り監視に用いるバイトであり、ＢＩＰ−８は１フレーム全体を８ビットごとに分割し、各々パリティ演算し、その結果を本バイトに挿入する符号誤り監視方式である。３１は待機系リンク８ｂの光リンクが正常に動作しているか否かを検知する網終端ＬＳＩにより実現しているＴＣ（Ｔｒａｎｓｍｉｓｓｉｏｎ  Ｃｏｎｖｅｒｇｅｎｃｅ）部である。
【００２２】
次に動作について説明する。
上記実施の形態１では、待機系リンク８ｂはＡＴＭインタフェースカード５ｃを介して受信シリアルデータを単純に折り返すものであった。しかし、この実施の形態２ではＡＴＭスイッチ１ｂから送信されたＳＤＨフレーム２１をＡＴＭインタフェースカード５ｃにおいて折り返し、送信したＡＴＭスイッチ１ｂのＴＣ部３１がＢＩＰ−８の値、フレームが一定期間（数回あるいはμｓ単位）消失したことを検出するＯＯＦ（Ｏｕｔ  ｏｆ  ｆｒａｍｅ）やＬＯＦ（Ｌｏｓｓ  ｏｆ  ｆｒａｍｅ）、光ファイバの断線等により発生するＬＯＳ（Ｌｏｓｓ  ｏｆ
ｓｉｇｎａｌ）等をチェックする。
【００２３】
以上のように、この実施の形態２によれば、保守員が速やかに待機系リンク８ｂの故障を認識できるので、修理をすばやく行うことができるなどの効果が得られる。また、待機系リンク８ｂの健全性を確認しているので、信頼性の高いものが得られるなどの効果が得られる。
【００２４】
実施の形態３．
図５はこの発明の実施の形態３による二重化ＡＴＭスイッチシステムにおいてＳＤＨレベルでのＡＴＭスイッチの現用系／待機系接続リンクの確認方法を示す構成図、図６はこの発明の実施の形態３による二重化ＡＴＭスイッチシステムのネットワーク上に伝送されるフレームの構成を示す構成図であり、図において、実施の形態１および実施の形態２と同一の符号については同一または相当部分を示すので説明を省略する。
【００２５】
次に動作について説明する。
まず、ＡＴＭスイッチ１ａ，１ｂがユーザチャネル２５に待機系の識別子（ｂ）を設定し、ＡＴＭインタフェースカード５ｃにＳＤＨフレーム２１を送信し、ＡＴＭインタフェースカード５ｃからは、このユーザチャネル２５に現用系の識別子（ａ）を設定し、ＡＴＭスイッチ１ａにＳＤＨフレーム２１を送信する。現用系リンク８ａに接続されているときには、ユーザチャネル２５が現用系の識別子（ａ）に設定され、待機系リンク８ｂに接続されているときには、ユーザチャネル２５がＡＴＭインタフェースカード５ｃから折り返された待機系の識別子（ｂ）のままに設定されているため、ＡＴＭスイッチ１ａ，１ｂでは、現用系リンク８ａか待機系リンク８ｂのどちらに接続されているのか容易に判断できる。
【００２６】
また、ＡＴＭスイッチ１ａ，１ｂでは、現用系リンク８ａから受信したフレームに設定された通りのＶＰＩ（Ｖｉｒｔｕａｌ  Ｐａｔｈ  Ｉｄｅｎｔｉｆｉｅｒ）／ＶＣＩ（Ｖｉｒｔｕａｌ  Ｃｈａｎｎｅｌ  Ｉｄｅｎｔｉｆｉｅｒ）変換を行って、受信したＡＴＭセルをスイッチングし、待機系リンク８ｂから受信したＡＴＭセルをすべて無効として廃棄するので、待機系リンク８ｂで折り返されたＡＴＭセルがＡＴＭネットワーク上に送出されることはない。
【００２７】
以上のように、この実施の形態３によれば、ＡＴＭスイッチ１ａ，１ｂはＡＴＭインタフェースカード５ｃの現用系リンク８ａに接続されているのか待機系リンク８ｂに接続されているのかを判断し、ＡＴＭスイッチ１ａ，１ｂは現用系リンク８ａからのＡＴＭセルのみをスイッチングし、待機系リンク８ｂから受信したＡＴＭセルを廃棄することで、ネットワーク上に同一のＡＴＭセルが送出されることを防止するなどの効果が得られる。
また、ＡＴＭスイッチ１ａ，１ｂは、現用系リンク８ａから待機系リンク８ｂに切り替わったことを即座に判断でき、系切替時間を意識することなくネットワーク上にデータを送出することができるなどの効果が得られる。
【００２８】
実施の形態４．
図７はこの発明の実施の形態４による二重化ＡＴＭスイッチシステムにおいてＡＴＭレベルでのＡＴＭスイッチの現用系／待機系接続リンクの確認方法を示す構成図、図８はこの発明の実施の形態４による二重化ＡＴＭスイッチシステムのＡＴＭセルのフォーマットを示す構成図であり、図において、実施の形態１から３と同一の符号については同一または相当部分を示すので説明を省略する。３２はＡＴＭセルのデータ部６２に待機系の識別子（ｂ）を設定し、ＡＴＭインタフェースカード５ｃにＡＴＭセルを送信するＳＡＲ（Ｓｅｇｍｅｎｔａｔｉｏｎ  Ａｎｄ  Ｒｅａｓｓｅｍｂｌｙ）部である。ＡＴＭセルは５オクテットのＡＴＭヘッダ部６１と、４８オクテットのＡＴＭセルのデータ部６２とによって構成される。６１はＡＴＭヘッダ部であり、８ビットのＶＰＩ及び１６ビットのＶＣＩが格納され、ＶＰＩとＶＣＩの値によってＡＴＭセルの転送先が識別される。６２はＡＴＭセルのデータ部であり、現用系リンク８ａ／待機系リンク８ｂの識別情報が格納されている。
【００２９】
次に動作について説明する。
ＡＴＭスイッチ１ａ，１ｂのＳＡＲ部３２がＡＴＭセルのデータ部６２に待機系の識別子（ｂ）を設定し、ＡＴＭインタフェースカード５ｃにＡＴＭセルを送信する。ＡＴＭインタフェースカード５ｃからは、ＡＴＭセルのデータ部６２に現用系の識別子（ａ）を設定し、ＡＴＭスイッチ１ａにＡＴＭセルを送信する。ＡＴＭスイッチ１ａ，１ｂでは、現用系リンク８ａに接続されているときには、ＡＴＭセルのデータ部６２が現用系の識別子（ａ）に設定され、待機系リンク８ｂに接続されているときには、ＡＴＭインタフェースカード５ｃから折り返された待機系の識別子（ｂ）のままに設定されている。そのため、ＡＴＭスイッチ１ａ，１ｂは実施の形態２と同様に、現用系リンク８ａまたは待機系リンク８ｂのどちらに接続されているのか容易に判断できる。
【００３０】
以上のように、この実施の形態４によれば、ＡＴＭスイッチ１ａ，１ｂはＡＴＭインタフェースカード５ｃの現用系リンク８ａに接続されているのか待機系リンク８ｂに接続されているのかを判断する。そしてＡＴＭスイッチ１ａ，１ｂは現用系リンク８ａからのＡＴＭセルのみをスイッチングし、待機系リンク８ｂから受信したＡＴＭセルを廃棄するので、ネットワーク上に同一のＡＴＭセルが送出されることを防止するなどの効果が得られる。
また、ＡＴＭスイッチ１ａ，１ｂは、現用系リンク８ａから待機系リンク８ｂに切り替わったことを即座に判断でき、系切替時間を意識することなくネットワーク上にデータを送出することができるなどの効果が得られる。
【００３１】
実施の形態５．
図９はこの発明の実施の形態５による二重化ＡＴＭスイッチシステムにおいてパケットレベルでのＡＴＭスイッチの現用系／待機系接続リンクの確認方法を示す構成図であり、図において、実施の形態１から４と同一の符号については同一または相当部分を示すので説明を省略する。４１は送信パケットメモリ、４２は受信パケットメモリである。
【００３２】
次に動作について説明する。
ＡＴＭスイッチ１ａ，１ｂの送信パケットメモリ４１に待機系の識別子（ｂ）を含んだデータを設定し、ＳＡＲ部３２で送信パケットメモリ４１のデータを読み込み、このデータをＡＴＭセルに分解してＡＴＭインタフェースカード５ｃに送信する。次に、ＡＴＭインタフェースカード５ｃでは、現用系の識別子（ａ）を含んだデータをＡＴＭセルに分解して、ＡＴＭスイッチ１ａに送信する。そしてＡＴＭスイッチ１ａ，１ｂでは、ＳＡＲ部３２で受信したＡＴＭセルを受信パケットメモリ４２に展開する。
【００３３】
現用系リンク８ａに接続されているＡＴＭスイッチ１ａでは、受信パケットメモリ４２のデータが現用系の識別子（ａ）を含んだデータに展開される。一方、待機系リンク８ｂに接続されているＡＴＭスイッチ１ｂでは、ＡＴＭインタフェースカード５ｃから折り返された待機系の識別子（ｂ）のままのデータが受信パケットメモリ４２に展開される。このため、実施の形態２と同様に、現用系リンク８ａか待機系リンク８ｂのどちらに接続されているのか容易に判断できる。
【００３４】
以上のように、この実施の形態５によれば、ＡＴＭスイッチ１ａ，１ｂはＡＴＭインタフェースカード５ｃの現用系リンク８ａに接続されているのか待機系リンク８ｂに接続されているのかを判断し、ＡＴＭスイッチ１ａ，１ｂは現用系リンク８ａからのＡＴＭセルのみをスイッチングし、待機系リンク８ｂから受信したＡＴＭセルを廃棄することで、ネットワーク上に同一のＡＴＭセルが送出されることを防止するなどの効果が得られる。
また、ＡＴＭスイッチ１ａ，１ｂは、現用系リンク８ａから待機系リンク８ｂに切り替わったことを即座に判断でき、系切替時間を意識することなくネットワーク上にデータを送出することができるなどの効果が得られる。
【００３５】
実施の形態６．
図１０はこの発明の実施の形態６による二重化ＡＴＭスイッチシステムにおいてＡＴＭスイッチ内に格納されるマルチキャスト登録テーブルを示す構成図である。このマルチキャスト登録テーブルは、ＶＰＩ／ＶＣＩ値と出力ポート先の対応を示したものでネットワークシステム構築時にＡＴＭスイッチに設定される情報である。図において、５１はマルチキャスト登録テーブル、５２はマルチキャストＶＰＩ／ＶＣＩ値、５３はマルチキャスト用出力ポート先である。マルチキャストコネクションの一例を示す図１０において、ＡＴＭスイッチ１ａ，１ｂ内の＃１〜＃３は上記マルチキャスト用出力ポート先５３に対応している。実施の形態１から実施の形態４と同一の符号については同一または相当部分を示すので説明を省略する。
【００３６】
次に動作について説明する。
ＡＴＭインタフェースカード５ｃに接続されているＡＴＭスイッチ１ａ，１ｂは、ＡＴＭスイッチ１ａ，１ｂ内のマルチキャスト登録テーブル５１に対応するポートに上記ＡＴＭインタフェースカード５ｃを接続するか、または、接続されているＡＴＭインタフェースカード５ｃのポート先に対応するようにマルチキャスト登録テーブル５１を書き替える。次に、端末装置２から端末装置６へデータを送信する場合、相手端末装置２は送信先端末装置６のＶＰＩ／ＶＣＩに設定したＡＴＭセルを送信する。
【００３７】
ＡＴＭスイッチ１ａ，１ｂでは、受信したＡＴＭセルのＶＰＩ／ＶＣＩ値から出力ポート＃１〜＃３を決定する。ＡＴＭスイッチ１ａでは現用系リンク８ａに接続されているポート＃３よりＡＴＭインタフェースカード５ｃに対してデータを送信する。一方、ＡＴＭスイッチ１ｂでは待機系リンク８ｂに接続されているポート＃２よりＡＴＭインタフェースカード５ｃに対してデータを送信する。しかし、ＡＴＭインタフェースカード５ｃでは、現用系リンク８ａのみセルを受信できる。このため、相手端末装置２からは、送信先端末装置が二重化リンクであっても現用系／待機系リンクの系の切替を意識することなくデータの送信を行うことができる。
【００３８】
以上のように、この実施の形態６によれば、相手端末装置が、二重化リンクを有する端末装置に送信する場合でも現用系リンク８ａ／待機系リンク８ｂの切替を意識する必要がないなどの効果が得られる。
【００３９】
実施の形態７．
図１１はこの発明の実施の形態７による二重化ＡＴＭスイッチシステムにおいてＡＴＭインタフェースカードの系切替方法を示す構成図であり、図において、実施の形態１から実施の形態４と同一の符号については同一または相当部分を示すので説明を省略する。５５は系切替制御部、５６はタイマである。
【００４０】
次に動作について説明する。
まず、現用系光リンク側が現用系リンク８ａ、待機系光リンク側が待機系リンク８ｂとなるように、系切替制御部５５を設定する。そして、電源投入時またはシステムリセット時には、系切替制御部５５のタイマ５６を起動し、規定時間を過ぎてもＡＴＭプロトコル処理部１３が現用系リンク８ａの異常を検出している場合には、系切替信号１４により現用系リンク８ａから待機系リンク８ｂへ切替を行う。また、アプリケーションにより、光リンク８ｂ側を現用系とするように系切替制御部５５に設定すると、光リンク８ｂ側が現用系リンクとなり、光リンク８ａ側が待機系リンクとなる。電源投入時またはシステムリセット時には、系切替制御部５５のタイマ５６を起動し、規定時間を過ぎてもＡＴＭプロトコル処理部１３が現用系リンク８ｂの異常を検出している場合には、系切替信号１４により現用系リンク８ｂから待機系リンク８ａへ切替を行う。
【００４１】
以上のように、この実施の形態７によれば、設定により二重化された光送受信器の一方を現用系に、他方を待機系に固定するため、電源投入後またはシステムリセット時に現用系リンク８ａから待機系リンク８ｂに切り替わり、現用系リンク８ａが異常になっていることを容易に判断することができるなどの効果が得られる。
【００４２】
【発明の効果】
以上のように、この発明によれば、現用系リンクからのみＡＴＭセルの受信を現用系光送受信器により行い、待機系リンクからのみＡＴＭセルの受信を待機系光送受信器により行い、現用系光送受信器を介して受信したＡＴＭセルは通過させ、待機系光送受信器を介して受信したＡＴＭセルをセレクタ部により折り返し、ＡＴＭプロトコル処理部が現用系リンクの障害またはＡＴＭスイッチの故障を検知した場合に、セレクタ部に対して系切替信号を出力し、待機系光送受信器を介してＡＴＭセルを受信するように構成したので、ＡＴＭインタフェースカードの二重化が不要になり、装置を安価にすることができる効果がある。
【００４３】
この発明によれば、待機系ＡＴＭスイッチにおいて、待機系リンクの光リンクが正常に動作しているか否かを検知し、この検知した結果をＳＤＨフレームに記録し端末装置に送信するＴＣ部を備え、端末装置において、待機系ＡＴＭスイッチから送信されたＳＤＨフレームをチェックし待機系ＡＴＭスイッチの健全性を確認するように構成したので、待機系リンクの故障を保守員が認識でき、速やかな修理が可能になる。また、待機系リンクの健全性を確認しているので、信頼性の高いものが得られる効果がある。
【００４４】
この発明によれば、ＡＴＭスイッチにおいて、ＳＤＨフレームのユーザチャネルに待機系の識別子を設定し端末装置に送信したときに、端末装置から待機系リンクに接続されていることを示す待機系の識別子がユーザチャネルに設定されている場合に、待機系リンクから受信したＡＴＭセルをすべて無効として廃棄するように構成したので、ネットワーク上に同一のＡＴＭセルが送出されることを防止するとともに、系切替時間を意識することなくネットワーク上にデータを送出することができる効果がある。
【００４５】
この発明によれば、現用系ＡＴＭスイッチおよび待機系ＡＴＭスイッチのＳＡＲ部において、ＡＴＭセルのデータ部に待機系の識別子を設定しこのＡＴＭセルを端末装置に送信したときに、端末装置から待機系リンクに接続されていることを示す待機系の識別子がユーザチャネルに設定されている場合に、待機系リンクから受信したＡＴＭセルをすべて無効として廃棄するように構成したので、ネットワーク上に同一のＡＴＭセルが送出されることを防止するとともに、系切替時間を意識することなくネットワーク上にデータを送出することができる効果がある。
【００４６】
この発明によれば、現用系ＡＴＭスイッチおよび待機系ＡＴＭスイッチにおいて、送信パケットメモリにおいて待機系の識別子を含んだデータを設定し、ＳＡＲ部で送信パケットメモリのデータを読み込み、このデータをＡＴＭセルに分解して端末装置に送信し、現用系の識別子を含んだデータに分解されたＡＴＭセルが端末装置から返信された場合に、ＳＡＲ部で受信したＡＴＭセルを受信パケットメモリに展開するように構成したので、ネットワーク上に同一のＡＴＭセルが送出されることを防止するとともに、系切替時間を意識することなくネットワーク上にデータを送出することができる効果がある。
【００４７】
この発明によれば、現用系ＡＴＭスイッチおよび待機系ＡＴＭスイッチにおいて、ＶＰＩ／ＶＣＩ値と出力ポート先の対応を示したものでネットワークシステム構築時にＡＴＭスイッチに設定されるマルチキャスト登録テーブルに、対応するポート先に端末装置を接続するか、または、接続されている端末装置のポート先に対応するようにマルチキャスト登録テーブルを書き替えるように構成したので、相手端末装置が、二重化リンクを有する端末装置に送信する場合でも現用系／待機系リンクの切替を意識させることがない効果がある。
【００４８】
この発明によれば、端末装置において、電源投入時またはシステムリセット時には、系切替制御部のタイマを起動し、規定時間を過ぎてもＡＴＭプロトコル処理部が現用系リンクの異常を検出していると、系切替信号により現用系リンクから待機系リンクへ切替を行い、待機系リンク側を現用系リンクに、現用系リンク側を待機系リンクとするように系切替制御部に設定するように構成したので、電源投入後またはシステムリセット時に現用系リンクから待機系リンクに切り替わることで、現用系リンクが異常になっていることを容易に判断することができる効果がある。
【００４９】
この発明によれば、端末装置において、現用系ＡＴＭスイッチまたは待機系ＡＴＭスイッチを経由してＡＴＭセルを受信すると、受信したＡＴＭセルが現用系リンクを経由してきたものであるか否かを判断し、この判断ステップの結果、待機系リンクを経由してきたものである場合には、光送受信器により受信したシリアルデータをセレクタ部で折り返しＡＴＭセルの受信を行わないように構成したので、ＡＴＭインタフェースカードの二重化が不要になり、装置が安価にすることができる効果がある。
【図面の簡単な説明】
【図１】この発明の実施の形態１による二重化ＡＴＭスイッチシステムを示す構成図である。
【図２】この発明の実施の形態１による二重化ＡＴＭスイッチシステムの動作手順を示すフローチャートである。
【図３】この発明の実施の形態２による二重化ＡＴＭスイッチシステムにおいてＳＤＨフレームにより待機系リンクの健全性を確認するための構成を示す構成図である。
【図４】この発明の実施の形態２による二重化ＡＴＭスイッチシステムのネットワーク上に伝送されるフレームの構成を示す構成図である。
【図５】この発明の実施の形態３による二重化ＡＴＭスイッチシステムにおいてＳＤＨレベルでのＡＴＭスイッチの現用系／待機系接続リンクの確認方法を示す構成図である。
【図６】この発明の実施の形態３による二重化ＡＴＭスイッチシステムのネットワーク上に伝送されるフレームの構成を示す構成図である。
【図７】この発明の実施の形態４による二重化ＡＴＭスイッチシステムにおいてＡＴＭレベルでのＡＴＭスイッチの現用系／待機系接続リンクの確認方法を示す構成図である。
【図８】この発明の実施の形態４による二重化ＡＴＭスイッチシステムのＡＴＭセルのフォーマットを示す構成図である。
【図９】この発明の実施の形態５による二重化ＡＴＭスイッチシステムにおいてパケットレベルでのＡＴＭスイッチの現用系／待機系接続リンクの確認方法を示す構成図である。
【図１０】この発明の実施の形態６による二重化ＡＴＭスイッチシステムにおいてＡＴＭスイッチ内に格納されるマルチキャスト登録テーブルを示す構成図である。
【図１１】この発明の実施の形態７による二重化ＡＴＭスイッチシステムにおいてＡＴＭインタフェースカードの系切替方法を示す構成図である。
【図１２】ＳｙｎＯｐｔｉｃｓ製ＬａｔｔｉｓＣｅｌｌ  Ａｓｙｎｃｈｒｏｎｏｕｓ  Ｔｒａｎｓｆｅｒ  Ｍｏｄｅ  Ｓｗｉｔｃｈのカタログに示された従来の二重化ＡＴＭスイッチシステムを示す構成図である。
【符号の説明】
１ａ  ＡＴＭスイッチ（現用系ＡＴＭスイッチ）、１ｂ  ＡＴＭスイッチ（待機系ＡＴＭスイッチ）、６  端末装置、８ａ  現用系リンク、８ｂ  待機系リンク、１１ａ  現用系光送受信器、１１ｂ  待機系光送受信器、１２  セレクタ部、１３  ＡＴＭプロトコル処理部、１４  系切替信号、２１  ＳＤＨフレーム、２５  ユーザチャネル、３１  ＴＣ部、４１  送信パケットメモリ、５１  マルチキャスト登録テーブル、５５  系切替制御部、５６  タイマ、６２  ＡＴＭセルのデータ部。
【図１】
0003592525.tif 000002
【図２】
0003592525.tif 000003
【図３】
0003592525.tif 000004
【図４】
0003592525.tif 000005
【図５】
0003592525.tif 000006
【図６】
0003592525.tif 000007
【図７】
0003592525.tif 000008
【図８】
0003592525.tif 000009
【図９】
0003592525.tif 000010
【図１０】
0003592525.tif 000011
【図１１】
0003592525.tif 000012
【図１２】
0003592525.tif 000013